(57)【要約】【課題】  組み込んだユニットを最適な状態で適用することのできるデジタルカメラを得る。【解決手段】  デジタルカメラ１０Ａを、レンズユニット６０をカメラ本体ユニット１２Ａに装着することによってカメラとして機能するものとし、レンズユニット６０を、レンズ６２ＡとＣＣＤ６４を含むと共にレンズ６２Ａ及びＣＣＤ６４の双方の機差に起因する被写体像の画質の劣化に対処するための機差対処情報を予めメモリ６６に記憶しておき、カメラ本体ユニット１２Ａに装着された状態で当該カメラ本体ユニット１２Ａに機差対処情報を出力するものとし、カメラ本体ユニット１２Ａを、レンズユニット６０が装着された状態で上記機差対処情報を入力すると共に、ＣＰＵ４０により当該機差対処情報を用いて被写体像の画質の劣化に対処するための制御を行うものとする。【選択図】        図１
2005142831.tif 000002
【特許請求の範囲】
【請求項１】
レンズユニットとカメラ本体ユニットとを含み、前記レンズユニットを前記カメラ本体ユニットに装着することによってカメラとして機能するデジタルカメラであって、
前記レンズユニットは、被写体像を結像させる結像レンズと、前記結像レンズによって結像された被写体像を撮像して当該被写体像を示す画像情報を取得する撮像素子と、前記結像レンズ及び前記撮像素子の少なくとも一方の機差に起因する前記画像情報により示される被写体像の画質の劣化に対処するための機差対処情報を予め記憶した記憶手段と、前記カメラ本体ユニットに装着された状態で当該カメラ本体ユニットに前記画像情報及び前記機差対処情報を出力するための出力手段と、を含み、
前記カメラ本体ユニットは、前記レンズユニットが装着された状態で前記出力手段によって出力された前記画像情報及び前記機差対処情報を入力するための入力手段と、前記入力手段によって入力された前記機差対処情報を用いて前記入力手段によって入力された前記画像情報により示される被写体像の画質の劣化に対処するための制御を行う制御手段と、を含む
ことを特徴とするデジタルカメラ。
【請求項２】
前記機差対処情報を、前記撮像素子の欠陥画素補正に関する欠陥画素情報、前記結像レンズの収差補正に関する収差情報、及び前記結像レンズと前記撮像素子との組み合せに応じたシェーディング補正に関するシェーディング情報の少なくとも１つとした
請求項１記載のデジタルカメラ。
【請求項３】
記録メディアユニットとカメラ本体ユニットとを含み、前記記録メディアユニットを前記カメラ本体ユニットに装着することによってカメラとして機能するデジタルカメラであって、
前記記録メディアユニットは、前記カメラ本体ユニットによる撮影によって得られた画像情報を記憶するための記録メディアと、当該記録メディアユニットの仕様に関する記録メディア仕様情報を予め記憶した記憶手段と、前記カメラ本体ユニットに装着された状態で当該カメラ本体ユニットに前記記録メディア仕様情報を出力するための出力手段と、を含み、
前記カメラ本体ユニットは、前記記録メディアユニットが装着された状態で前記出力手段によって出力された前記記録メディア仕様情報を入力するための入力手段と、前記入力手段によって入力された前記記録メディア仕様情報に応じて前記記録メディアユニットに関する制御を行う制御手段と、を含む
ことを特徴とするデジタルカメラ。
【請求項４】
前記記録メディア仕様情報を、前記記録メディアに対するアクセス速度を示すアクセス速度情報、及び前記記録メディアユニットの駆動電圧を示す駆動電圧情報の少なくとも一方とした
請求項３記載のデジタルカメラ。
【請求項５】
ストロボユニットとカメラ本体ユニットとを含み、前記ストロボユニットを前記カメラ本体ユニットに装着することによってストロボ撮影が可能なカメラとして機能するデジタルカメラであって、
前記ストロボユニットは、被写体像に対して光を照射するための発光部と、当該ストロボユニットの仕様に関するストロボ仕様情報を予め記憶した記憶手段と、前記カメラ本体ユニットに装着された状態で当該カメラ本体ユニットに前記ストロボ仕様情報を出力するための出力手段と、を含み、
前記カメラ本体ユニットは、前記ストロボユニットが装着された状態で前記出力手段によって出力された前記ストロボ仕様情報を入力するための入力手段と、前記入力手段によって入力された前記ストロボ仕様情報に応じて前記ストロボユニットに関する制御を行う制御手段と、を含む
ことを特徴とするデジタルカメラ。
【請求項６】
前記ストロボ仕様情報を、前記発光部を発光させるための電力を供給する電源の有無を示す電源有無情報、及び前記発光部から照射された光の到達距離を示す到達距離情報の少なくとも一方とした
請求項５記載のデジタルカメラ。
【発明の詳細な説明】
【技術分野】
【０００１】
本発明は、デジタルカメラに係り、特に、カメラ本体ユニットに対して各種ユニットが着脱可能に構成されたデジタルカメラに関する。
【背景技術】
【０００２】
近年、ＣＣＤ（Charge Coupled Device）、ＣＭＯＳ（Complementary Metal Oxide Semiconductor）イメージ・センサ等の撮像素子の高解像度化に伴い、デジタル電子スチルカメラやデジタルビデオカメラ等のデジタルカメラの需要が急増している。
【０００３】
ところで、このようなデジタルカメラは、通常、価格や市場ニーズ等に応じて設計仕様が予め固定されているため、必ずしも各ユーザの要求を満足させることができるとは限らないものであった。
【０００４】
例えば、近年のデジタルカメラでは、価格が上昇するほど光学ズームのズーム倍率と撮像素子の解像度との双方が上昇する傾向にあり、光学ズームの機能は必要ないが撮像素子の解像度は高いものを要求する画質優先のユーザや、逆に撮像素子の解像度は低くてもよいが光学ズームの機能は欲しい撮影枚数及び拡大撮影優先のユーザにとって、自身の要求を満足させるためには必要以上の価格のものを購入しなければならず、価格を抑えるためには要求レベルを低下せざるを得なかった。
【０００５】
このような実情を背景に、結像レンズ、撮像素子、撮影画像記録用の記録メディア、ストロボの各々を、使用条件、使用目的、好み等に応じたもので組み合わせて構成可能とすることにより、必要以上の価格上昇を招くことなく所望のデジタルカメラが得られるようにする技術が要望されており、当該要望に応えるために適用できる技術として以下の技術があった。
【０００６】
特許文献１には、カメラ本体内に配置された撮像素子をサイズの異なるものと交換可能に構成すると共に、装着されている撮像素子のサイズを検出し、当該サイズに応じて表示手段に表示される撮影範囲を変更する技術が開示されている。
【０００７】
また、特許文献２には、撮像素子と該撮像素子に対する光学系とを所定の関係に維持し得るようになされた筐体と、自己の適合するカメラ本体に設けられた接続手段に接続されたときに所定の信号の授受及び所定の機械的結合を得るべく上記筐体と一定の位置関係を維持するように構成された接続手段とを有するプラグインユニットと、該プラグインユニットの上記接続手段が自己の対応する接続手段に接続されたときに所定の信号の授受及び所定の機械的結合を得て該プラグインユニットの上記撮像素子により生成される画像情報を受けることが可能とされたカメラ本体と、を含むカメラシステムが開示されている。
【０００８】
また、特許文献３には、撮像素子内蔵レンズユニットとカメラ本体ユニットからなり、上記撮像素子内蔵レンズユニットを上記カメラ本体ユニットに装着することにより電子カメラとして機能する電子カメラシステムが開示されている。
【０００９】
また、特許文献４には、メモリカード（上記記録メディアに相当。）を収納可能なメモリカードホルダ部をカメラ本体とは別個に備えると共に、メモリカードの仕様に応じた信号の授受を行うためのカード仕様変換部をカメラ本体又はメモリカードホルダ部に備えることにより、メモリカードホルダ側の仕様を変更するだけで複数種類のメモリカードを使用可能とする技術が開示されている。
【００１０】
また、特許文献５には、記録媒体（上記記録メディアに相当。）が含まれた記録ユニットをカメラ本体に対して着脱自在に構成することにより、撮影条件やユーザの好みによって記録媒体が選択できるようにする技術が開示されている。
【００１１】
更に、特許文献６には、手動でフイルム巻き上げ可能な小型カメラ本体と、電池電源、電源ＯＮ／ＯＦＦスイッチとモード切替えスイッチとシャッタボタンを備えた操作部、及び液晶表示部を備えた操作ユニットと、ストロボユニットと、を各々独立したユニットとして備え、小型カメラ本体に操作ユニットとストロボユニットを着脱可能とした技術が開示されている。
【特許文献１】特開２０００−５９６５５公報
【特許文献２】特開平８−１７２５６１号公報
【特許文献３】特開２０００−１５２０４０公報
【特許文献４】特開２０００−４８１３４公報
【特許文献５】特開平６−７８１９６号公報
【特許文献６】特開２０００−６６２７７公報
【発明の開示】
【発明が解決しようとする課題】
【００１２】
しかしながら、上記特許文献１の技術では、サイズの異なる撮像素子を選択的に装着することはできるものの、撮像素子を着脱する際にカメラ本体内部が開放状態となるので、結像レンズから撮像素子の撮像面に至る被写体像を示す光の通路内に塵埃等が入りやすく、撮影によって得られた被写体像の画質が低下しやすい、という問題点があった。
【００１３】
これに対して、上記特許文献２及び特許文献３の技術では、結像レンズ及び撮像素子を筐体によって一体化し、レンズユニットとして構成すると共に、当該レンズユニットをカメラ本体ユニットに装着可能に構成しているため、上記通路内への塵埃等の侵入を防止することができる。
【００１４】
しかしながら、当該特許文献２及び特許文献３の技術では、レンズユニットに組み込まれた結像レンズ及び撮像素子の機差については考慮されておらず、組み込んだレンズユニットを必ずしも最適な状態で適用しているとは限らない、という問題点があった。
【００１５】
すなわち、例えば、撮像素子には、製造工程における種々の要因によって欠陥画素が生じる場合が多く、当該欠陥画素の位置は撮像素子によって様々である。従って、従来の撮像素子内蔵型のデジタルカメラにおいて当該欠陥画素に対処する場合、カメラの製造工程において当該撮像素子の欠陥画素の位置を検出して当該位置を示す情報を予め記憶しておき、撮像時において当該位置情報に対応する画素の撮像素子からの出力信号を補正する処理を行う等している。
【００１６】
また、例えば、結像レンズには、製造工程における種々の要因によってレンズ毎に異なる歪曲収差が存在する。従って、従来のレンズ内蔵型のデジタルカメラにおいて当該歪曲収差に対処する場合、カメラの製造工程において当該歪曲収差を検出して当該収差を示す情報を予め記憶しておき、撮像時において当該収差情報に応じて撮像素子から得られた各画素毎の出力信号の画像上の位置を補正する処理を行う等している。
【００１７】
しかしながら、上記特許文献２及び特許文献３の技術では、上記のような欠陥画素や歪曲収差といった撮像素子、結像レンズ毎に異なる撮影画像の画質に影響するパラメータについては考慮されておらず、必ずしも最良の画質で撮影できるとは限らない。
【００１８】
一方、上記特許文献４の技術では、複数種類のメモリカードを使用可能とするために、メモリカードの仕様に応じた信号の授受を行うためのカード仕様変換部をカメラ本体又はメモリカードホルダ部に設けているため、組み込んだメモリカードホルダ部を必ずしも最適な状態で適用しているとは限らない、という問題点があった。
【００１９】
すなわち、上記カード仕様変換部は回路として構成されており、メモリカードの仕様とカメラ本体側の仕様とを合わせるための固定的な変換のみが行われるため、例えば、カメラ本体側からメモリカードに対して最高のアクセス速度でアクセスしたり、カメラ本体側でメモリカードの種類等に応じて各種処理内容を切り替える、といったことを実行することは困難である。
【００２０】
同様に、上記特許文献５の技術においても、記録ユニット側のアクセス速度や記録媒体の仕様等をカメラ本体側では把握することができないため、組み込んだ記録ユニットを必ずしも最適な状態で適用しているとは限らない、という問題点があった。
【００２１】
更に、上記特許文献６の技術においても、複数種類のストロボユニットを使用可能とすることはできるものの、カメラ本体側ではストロボユニットの仕様を把握することができないため、組み込んだストロボユニットを必ずしも最適な状態で適用しているとは限らない、という問題点があった。
【００２２】
本発明は上記問題点を解消するためになされたものであり、組み込んだユニットを最適な状態で適用することのできるデジタルカメラを提供することを目的とする。
【課題を解決するための手段】
【００２３】
上記目的を達成するために、請求項１記載のデジタルカメラは、レンズユニットとカメラ本体ユニットとを含み、前記レンズユニットを前記カメラ本体ユニットに装着することによってカメラとして機能するデジタルカメラであって、前記レンズユニットは、被写体像を結像させる結像レンズと、前記結像レンズによって結像された被写体像を撮像して当該被写体像を示す画像情報を取得する撮像素子と、前記結像レンズ及び前記撮像素子の少なくとも一方の機差に起因する前記画像情報により示される被写体像の画質の劣化に対処するための機差対処情報を予め記憶した記憶手段と、前記カメラ本体ユニットに装着された状態で当該カメラ本体ユニットに前記画像情報及び前記機差対処情報を出力するための出力手段と、を含み、前記カメラ本体ユニットは、前記レンズユニットが装着された状態で前記出力手段によって出力された前記画像情報及び前記機差対処情報を入力するための入力手段と、前記入力手段によって入力された前記機差対処情報を用いて前記入力手段によって入力された前記画像情報により示される被写体像の画質の劣化に対処するための制御を行う制御手段と、を含むことを特徴としている。
【００２４】
請求項１に記載のデジタルカメラは、レンズユニットをカメラ本体ユニットに装着することによってカメラとして機能させることができるものとされており、レンズユニットでは、結像レンズにより被写体像が結像され、当該被写体像が撮像素子により撮像されて当該被写体像を示す画像情報が取得される。なお、上記撮像素子には、ＣＣＤ、ＣＭＯＳイメージ・センサ等の固体撮像素子が含まれる。
【００２５】
また、レンズユニットでは、上記結像レンズ及び上記撮像素子の少なくとも一方の機差に起因する上記画像情報により示される被写体像の画質の劣化に対処するための機差対処情報が予め記憶手段により記憶されており、カメラ本体ユニットに装着された状態で当該カメラ本体ユニットに上記画像情報及び上記機差対処情報が出力手段によって出力される。なお、上記記憶手段には、フラッシュ・メモリ（Flash Memory）、ＥＥＰＲＯＭ（Electrically Erasable and Programmable ROM）等の半導体記憶素子や、スマート・メディア（SmartMedia(R)）、ｘＤピクチャーカード（xD-Picture Card）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬型記録媒体が含まれる。
【００２６】
これに対し、カメラ本体ユニットでは、レンズユニットが装着された状態で上記出力手段によって出力された画像情報及び機差対処情報が入力手段によって入力され、入力された機差対処情報を用いて、入力された画像情報により示される被写体像の画質の劣化に対処するための制御が制御手段によって行われる。
【００２７】
このように、請求項１に記載のデジタルカメラによれば、レンズユニットをカメラ本体ユニットに装着することによってカメラとして機能するものとし、レンズユニットを、結像レンズと撮像素子を含むと共に結像レンズ及び撮像素子の少なくとも一方の機差に起因する被写体像の画質の劣化に対処するための機差対処情報を予め記憶しておき、カメラ本体ユニットに装着された状態で当該カメラ本体ユニットに機差対処情報を出力するものとし、カメラ本体ユニットを、レンズユニットが装着された状態で上記機差対処情報を入力すると共に、当該機差対処情報を用いて被写体像の画質の劣化に対処するための制御を行うものとしているので、結像レンズ及び撮像素子の少なくとも一方の機差に起因する撮影画像の画質の劣化に対処することができ、この結果として、組み込んだレンズユニットを最適な状態で適用することができる。
【００２８】
なお、本発明は、請求項２に記載の発明のように、前記機差対処情報を、前記撮像素子の欠陥画素補正に関する欠陥画素情報、前記結像レンズの収差補正に関する収差情報、及び前記結像レンズと前記撮像素子との組み合せに応じたシェーディング補正に関するシェーディング情報の少なくとも１つとすることが好ましい。
【００２９】
これにより、本発明の機差対処情報を欠陥画素情報とした場合は、装着されたレンズユニットに含まれている撮像素子に応じた欠陥画素補正を行うことができ、本発明の機差対処情報を収差情報とした場合は、装着されたレンズユニットに含まれている結像レンズに応じた収差補正を行うことができ、本発明の機差対処情報をシェーディング情報とした場合は、装着されたレンズユニットに含まれている結像レンズ及び撮像素子に応じたシェーディング補正を行うことができる。
【００３０】
また、上記目的を達成するために、請求項３記載のデジタルカメラは、記録メディアユニットとカメラ本体ユニットとを含み、前記記録メディアユニットを前記カメラ本体ユニットに装着することによってカメラとして機能するデジタルカメラであって、前記記録メディアユニットは、前記カメラ本体ユニットによる撮影によって得られた画像情報を記憶するための記録メディアと、当該記録メディアユニットの仕様に関する記録メディア仕様情報を予め記憶した記憶手段と、前記カメラ本体ユニットに装着された状態で当該カメラ本体ユニットに前記記録メディア仕様情報を出力するための出力手段と、を含み、前記カメラ本体ユニットは、前記記録メディアユニットが装着された状態で前記出力手段によって出力された前記記録メディア仕様情報を入力するための入力手段と、前記入力手段によって入力された前記記録メディア仕様情報に応じて前記記録メディアユニットに関する制御を行う制御手段と、を含むことを特徴としている。
【００３１】
請求項３に記載のデジタルカメラは、記録メディアユニットをカメラ本体ユニットに装着することによってカメラとして機能させることができるものとされており、記録メディアユニットは、カメラ本体ユニットによる撮影によって得られた画像情報を記憶するための記録メディアを含むと共に、当該記録メディアユニットの仕様に関する記録メディア仕様情報が予め記憶手段により記憶されており、カメラ本体ユニットに装着された状態で当該カメラ本体ユニットに記録メディア仕様情報が出力手段によって出力される。
【００３２】
なお、上記記憶手段には、フラッシュ・メモリ、ＥＥＰＲＯＭ等の半導体記憶素子や、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体が含まれる。また、上記記録メディアには、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体が含まれる。
【００３３】
これに対し、カメラ本体ユニットでは、記録メディアユニットが装着された状態で出力手段によって出力された記録メディア仕様情報が入力手段により入力され、入力された記録メディア仕様情報に応じて記録メディアユニットに関する制御が制御手段によって行われる。
【００３４】
このように、請求項３に記載のデジタルカメラによれば、記録メディアユニットをカメラ本体ユニットに装着することによってカメラとして機能するものとし、記録メディアユニットを、当該記録メディアユニットの仕様に関する記録メディア仕様情報を予め記憶しておき、カメラ本体ユニットに装着された状態で当該カメラ本体ユニットに記録メディア仕様情報を出力するものとし、カメラ本体ユニットを、記録メディアユニットが装着された状態で上記記録メディア仕様情報を入力すると共に、当該記録メディア仕様情報に応じて記録メディアユニットに関する制御を行うものとしているので、装着された記録メディアユニットの仕様に応じた制御を行うことができ、この結果として、組み込んだ記録メディアユニットを最適な状態で適用することができる。
【００３５】
なお、本発明は、請求項４に記載の発明のように、前記記録メディア仕様情報を、前記記録メディアに対するアクセス速度を示すアクセス速度情報、及び前記記録メディアユニットの駆動電圧を示す駆動電圧情報の少なくとも一方とすることが好ましい。
【００３６】
これにより、本発明の記録メディア仕様情報をアクセス速度情報とした場合は、装着された記録メディアユニットに含まれた記録メディアに対して好適なアクセス速度でアクセスすることができ、本発明の記録メディア仕様情報を駆動電圧情報とした場合は、装着された記録メディアユニットに対して適正な駆動電圧を印加することができる。
【００３７】
また、上記目的を達成するために、請求項５記載のデジタルカメラは、ストロボユニットとカメラ本体ユニットとを含み、前記ストロボユニットを前記カメラ本体ユニットに装着することによってストロボ撮影が可能なカメラとして機能するデジタルカメラであって、前記ストロボユニットは、被写体像に対して光を照射するための発光部と、当該ストロボユニットの仕様に関するストロボ仕様情報を予め記憶した記憶手段と、前記カメラ本体ユニットに装着された状態で当該カメラ本体ユニットに前記ストロボ仕様情報を出力するための出力手段と、を含み、前記カメラ本体ユニットは、前記ストロボユニットが装着された状態で前記出力手段によって出力された前記ストロボ仕様情報を入力するための入力手段と、前記入力手段によって入力された前記ストロボ仕様情報に応じて前記ストロボユニットに関する制御を行う制御手段と、を含むことを特徴としている。
【００３８】
請求項５に記載のデジタルカメラは、ストロボユニットをカメラ本体ユニットに装着することによってストロボ撮影が可能なカメラとして機能させることができるものとされており、ストロボユニットは、被写体像に対して光を照射するための発光部を含むと共に、当該ストロボユニットの仕様に関するストロボ仕様情報が予め記憶手段により記憶されており、カメラ本体ユニットに装着された状態で当該カメラ本体ユニットにストロボ仕様情報が出力手段によって出力される。
【００３９】
これに対し、カメラ本体ユニットでは、ストロボユニットが装着された状態で出力手段によって出力されたストロボ仕様情報が入力手段により入力され、入力されたストロボ仕様情報に応じてストロボユニットに関する制御が制御手段によって行われる。
【００４０】
このように、請求項５に記載のデジタルカメラによれば、ストロボユニットをカメラ本体ユニットに装着することによってストロボ撮影が可能なカメラとして機能するものとし、ストロボユニットを、当該ストロボユニットの仕様に関するストロボ仕様情報を予め記憶しておき、カメラ本体ユニットに装着された状態で当該カメラ本体ユニットにストロボ仕様情報を出力するものとし、カメラ本体ユニットを、ストロボユニットが装着された状態で上記ストロボ仕様情報を入力すると共に、当該ストロボ仕様情報に応じてストロボユニットに関する制御を行うものとしているので、装着されたストロボユニットの仕様に応じた制御を行うことができ、この結果として、組み込んだストロボユニットを最適な状態で適用することができる。
【００４１】
なお、本発明は、請求項６に記載の発明のように、前記ストロボ仕様情報を、前記発光部を発光させるための電力を供給する電源の有無を示す電源有無情報、及び前記発光部から照射された光の到達距離を示す到達距離情報の少なくとも一方とすることが好ましい。
【００４２】
これにより、本発明のストロボ仕様情報を電源有無情報とした場合は、ストロボユニットに電源がある場合に当該電源を利用することができるため、カメラ本体ユニットにおける電源を電池とした場合の電力供給期間を長期間化することができ、本発明のストロボ仕様情報を到達距離情報とした場合は、ストロボの発光制御を当該到達距離情報により示される到達距離に応じた最適な制御とすることができる。
【発明の効果】
【００４３】
請求項１及び請求項２に係るデジタルカメラによれば、レンズユニットをカメラ本体ユニットに装着することによってカメラとして機能するものとし、レンズユニットを、結像レンズと撮像素子を含むと共に結像レンズ及び撮像素子の少なくとも一方の機差に起因する被写体像の画質の劣化に対処するための機差対処情報を予め記憶しておき、カメラ本体ユニットに装着された状態で当該カメラ本体ユニットに機差対処情報を出力するものとし、カメラ本体ユニットを、レンズユニットが装着された状態で上記機差対処情報を入力すると共に、当該機差対処情報を用いて被写体像の画質の劣化に対処するための制御を行うものとしているので、結像レンズ及び撮像素子の少なくとも一方の機差に起因する撮影画像の画質の劣化に対処することができ、この結果として、組み込んだレンズユニットを最適な状態で適用することができる、という効果が得られる。
【００４４】
また、請求項３及び請求項４に係るデジタルカメラによれば、記録メディアユニットをカメラ本体ユニットに装着することによってカメラとして機能するものとし、記録メディアユニットを、当該記録メディアユニットの仕様に関する記録メディア仕様情報を予め記憶しておき、カメラ本体ユニットに装着された状態で当該カメラ本体ユニットに記録メディア仕様情報を出力するものとし、カメラ本体ユニットを、記録メディアユニットが装着された状態で上記記録メディア仕様情報を入力すると共に、当該記録メディア仕様情報に応じて記録メディアユニットに関する制御を行うものとしているので、装着された記録メディアユニットの仕様に応じた制御を行うことができ、この結果として、組み込んだ記録メディアユニットを最適な状態で適用することができる、という効果が得られる。
【００４５】
また、請求項５及び請求項６に係るデジタルカメラによれば、ストロボユニットをカメラ本体ユニットに装着することによってストロボ撮影が可能なカメラとして機能するものとし、ストロボユニットを、当該ストロボユニットの仕様に関するストロボ仕様情報を予め記憶しておき、カメラ本体ユニットに装着された状態で当該カメラ本体ユニットにストロボ仕様情報を出力するものとし、カメラ本体ユニットを、ストロボユニットが装着された状態で上記ストロボ仕様情報を入力すると共に、当該ストロボ仕様情報に応じてストロボユニットに関する制御を行うものとしているので、装着されたストロボユニットの仕様に応じた制御を行うことができ、この結果として、組み込んだストロボユニットを最適な状態で適用することができる、という効果が得られる。
【発明を実施するための最良の形態】
【００４６】
以下、図面を参照して、本発明を実施するための最良の形態について詳細に説明する。
【００４７】
〔第１の実施の形態〕
まず、図１を参照して、本形態に係るデジタルカメラ１０Ａの構成を説明する。同図に示すように、本形態に係るデジタルカメラ１０Ａは、カメラ本体ユニット１２Ａとレンズユニット６０とを含んで構成されており、レンズユニット６０をカメラ本体ユニット１２Ａに装着することによってカメラとして機能するものである。
【００４８】
レンズユニット６０は、被写体像を結像させるためのレンズ６２Ａを含んで構成された光学ユニット６２と、レンズ６２Ａの光軸後方に配設された電荷結合素子（以下、「ＣＣＤ」という。）６４と、光学ユニット６２及びＣＣＤ６４に関する各種情報が予め記憶された不揮発性のメモリ６６と、を備えている。図１に示すように、本形態では、レンズ６２Ａ及びＣＣＤ６４を筐体によって一体化してレンズユニット６０を構成しているので、レンズ６２ＡからＣＣＤ６４の撮像面に至る被写体像を示す光の通路内への塵埃等の侵入を防止することができる。
【００４９】
なお、本形態では、メモリ６６としてフラッシュ・メモリ（Flash Memory）を適用しているが、ＥＥＰＲＯＭ（Electrically Erasable and Programmable ROM）等の他の半導体記憶素子や、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体を適用する形態とすることもできる。
【００５０】
また、レンズユニット６０の筐体外面の所定位置には、カメラ本体ユニット１２Ａに装着された状態で、カメラ本体ユニット１２Ａとの間で各種信号の授受を行うためのコネクタ６０Ａが配設されている。そして、当該コネクタ６０Ａには、光学ユニット６２、ＣＣＤ６４、及びメモリ６６が接続されている。従って、カメラ本体ユニット１２Ａは、レンズユニット６０が装着された状態で、当該レンズユニット６０に内蔵された光学ユニット６２及びＣＣＤ６４の作動の制御、ＣＣＤ６４からの出力信号の入力、及びメモリ６６へのアクセスを行うことができる。
【００５１】
一方、カメラ本体ユニット１２Ａは、入力されたアナログ信号に対して各種のアナログ信号処理を行うアナログ信号処理部２６と、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を備えている。なお、デジタル信号処理部３０は、所定容量のラインバッファを内蔵し、入力されたデジタルデータを後述するメモリ４８の所定領域に直接記憶させる制御も行う。
【００５２】
また、カメラ本体ユニット１２Ａの筐体外面には、レンズユニット６０が装着された状態で当該レンズユニット６０に設けられたコネクタ６０Ａと電気的かつ機械的に接続される位置に、レンズユニット６０との間で各種信号の授受を行うためのコネクタ１３Ａが配設されている。
【００５３】
そして、レンズユニット６０が装着された状態で当該レンズユニット６０のＣＣＤ６４の出力端がコネクタ６０Ａ及びコネクタ１３Ａを介してアナログ信号処理部２６の入力端に電気的に接続される。また、アナログ信号処理部２６の出力端はＡＤＣ２８の入力端に、ＡＤＣ２８の出力端はデジタル信号処理部３０の入力端に、各々接続されている。
【００５４】
従って、レンズユニット６０がカメラ本体ユニット１２Ａに装着された状態において、ＣＣＤ６４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００５５】
一方、カメラ本体ユニット１２Ａは、撮影された被写体像やメニュー画面等を表示するための液晶ディスプレイ（以下、「ＬＣＤ」という。）３８と、当該ＬＣＤ３８に表示させるための信号を生成してＬＣＤ３８に供給するＬＣＤインタフェース３６と、デジタルカメラ１０Ａ全体の動作を司るＣＰＵ（中央処理装置）４０と、撮影により得られたデジタル画像データ等を記憶するメモリ４８と、メモリ４８に対するアクセスの制御を行うメモリインタフェース４６と、を備えている。
【００５６】
更に、カメラ本体ユニット１２Ａは、可搬型のメモリカード５２をデジタルカメラ１０Ａでアクセス可能とするための外部メモリインタフェース５０と、デジタル画像データに対する圧縮処理及び伸張処理を行う圧縮・伸張処理回路５４と、を備えている。
【００５７】
なお、本形態に係るデジタルカメラ１０Ａでは、メモリ４８としてＶＲＡＭ（Video RAM）が用いられ、メモリカード５２としてスマートメディアが用いられている。
【００５８】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００５９】
一方、カメラ本体ユニット１２Ａには、主としてレンズユニット６０に内蔵されたＣＣＤ６４を駆動させるためのタイミング信号を生成してＣＣＤ６４に供給するタイミングジェネレータ３２が備えられており、装着されたレンズユニット６０に内蔵されているＣＣＤ６４の駆動はＣＰＵ４０によりタイミングジェネレータ３２、コネクタ１３Ａ、及びコネクタ６０Ａを介して制御される。
【００６０】
更に、カメラ本体ユニット１２Ａにはモータ駆動部３４が備えられており、装着されたレンズユニット６０に内蔵されている光学ユニット６２に備えられた図示しない焦点調整モータ、ズームモータ及び絞り駆動モータの駆動もＣＰＵ４０によりモータ駆動部３４、コネクタ１３Ａ、及びコネクタ６０Ａを介して制御される。
【００６１】
すなわち、本実施の形態に係るレンズユニット６０に内蔵されたレンズ６２Ａは複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００６２】
ＣＰＵ４０は、光学ズーム倍率を変更する際にはズームモータを駆動制御して光学ユニット６２に含まれるレンズ６２Ａの焦点距離を変化させる。
【００６３】
また、ＣＰＵ４０は、ＣＣＤ６４による撮像によって得られた画像のコントラストが最大となるように上記焦点調整モータを駆動制御することによって合焦制御を行う。
【００６４】
更に、ＣＰＵ４０は、ＣＣＤ６４による撮像によって得られた画像の明るさに基づいて、露出状態を最適とする絞り値となるように上記絞り駆動モータを駆動制御することによって露出制御を行う。
【００６５】
一方、カメラ本体ユニット１２Ａには、電源スイッチ、撮影を実行する際に押圧操作されるレリーズボタン（所謂シャッター）、撮影された被写体像のズーム倍率を変更する際に操作されるズームスイッチ等の各種ボタン類、スイッチ類（同図では、「操作部５６」と総称。）が備えられており、当該操作部５６はＣＰＵ４０に接続されている。従って、ＣＰＵ４０は、これらの操作部５６に対する操作状態を常時把握できる。
【００６６】
なお、本形態に係るデジタルカメラ１０Ａのレリーズボタンは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００６７】
そして、デジタルカメラ１０Ａでは、レリーズボタンを半押し状態にすることによりＡＥ（Automatic Exposure、自動露出）機能が働いて露出状態（シャッター速度、絞りの状態）が設定された後、ＡＦ（Auto Focus、自動合焦）機能が働いて合焦制御され、その後、引き続き全押し状態にすると露光（撮影）が行われる。
【００６８】
一方、カメラ本体ユニット１２Ａには、撮影時に必要に応じて被写体に照射する光を発するストロボ４４が備えられている。また、カメラ本体ユニット１２Ａには、当該ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００６９】
更に、カメラ本体ユニット１２Ａには、レンズユニット６０に内蔵されたメモリ６６に対するアクセスの制御を行うメモリインタフェース５８が備えられており、ＣＰＵ４０は、装着されたレンズユニット６０に内蔵されているメモリ６６へのメモリインタフェース５８、コネクタ１３Ａ、及びコネクタ６０Ａを介したアクセスを行うことができる。
【００７０】
ここで、メモリ６６に予め記憶されている光学ユニット６２及びＣＣＤ６４に関する各種情報について、図２を参照しつつ説明する。
【００７１】
同図に示すように、当該情報は、光学ユニット６２に関する情報（以下、「光学系情報」という。）と、ＣＣＤ６４に関する情報（以下、「撮像系情報」という。）の２つに大別されている。
【００７２】
ここで、光学系情報には、レンズ６２Ａによる光学ズーム倍率の上限値を示す情報（同図では、「ズーム倍率」と表記。）、上記ズームモータに対する駆動制御方法を示す情報（同図では、「ズーム駆動制御方法」と表記。）が含まれる。また、撮像系情報には、ＣＣＤ６４の画素数を示す情報（同図では、「ＣＣＤ画素数」と表記。）、ＣＣＤ６４の駆動パルスの種類を示す情報（同図では、「ＣＣＤ駆動パルス種」と表記。）、ＣＣＤ６４に対する駆動制御方法を示す情報（同図では、「ＣＣＤ駆動制御方法」と表記。）、及びＣＣＤ６４の欠陥画素の位置を示す情報（同図では、「ＣＣＤ欠陥画素」と表記。）が含まれる。
【００７３】
なお、本実施の形態では、レンズユニット６０の製造工程において、当該レンズユニット６０に内蔵したＣＣＤ６４の欠陥画素の位置を検出し、当該検出した位置を示す情報を上記欠陥画素の位置を示す情報（以下、「欠陥画素位置情報」という。）としてメモリ６６の所定アドレスに記憶するようにしている。
【００７４】
なお、レンズユニット６０は、最大光学ズーム倍率、ＣＣＤの画素数等の各種仕様の異なる複数の機種が予め用意されており、ユーザは、使用条件、使用目的、好み等に応じた最適なものを選択的に購入して用いることができる。
【００７５】
次に、本実施の形態に係るデジタルカメラ１０Ａの撮影時における全体的な動作について簡単に説明する。
【００７６】
まず、ＣＣＤ６４は、光学ユニット６２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ６４から入力されたアナログ信号に対して相関二重サンプリング処理等のアナログ信号処理を施した後にＡＤＣ２８に順次出力する。
【００７７】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００７８】
メモリ４８の所定領域に格納されたデジタル画像データは、ＣＰＵ４０による制御に応じてデジタル信号処理部３０により読み出され、予め設定された欠陥画素位置情報により示される位置に対応する画素データを所定の補正方法によって補正する欠陥画素補正処理が施された後、所定の物理量に応じたデジタルゲインをかけることでホワイトバランス調整を行うと共に、ガンマ処理及びシャープネス処理を行って８ビットのデジタル画像データを生成する。なお、本実施の形態に係るデジタルカメラ１０Ａでは、上記欠陥画素補正処理として、欠陥画素の画素データを当該画素に隣接する複数の画素における画素データの平均値とする処理を適用している。
【００７９】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００８０】
なお、ＬＣＤ３８は、ＣＣＤ６４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００８１】
また、このとき、操作部５６におけるズームスイッチがユーザによって操作された場合、ＣＰＵ４０は、ズームスイッチの操作期間に応じた量だけ光学ズーム倍率を変更するように不図示のズームモータをモータ駆動部３４によって駆動制御する。これによって、ＬＣＤ３８に表示されているスルー画像は、ズームスイッチに対する操作に応じて拡大又は縮小されることになる。なお、このときの光学ズーム倍率の変更は、予め設定されたズーム倍率の上限値を上限として、予め定められたズームモータの駆動制御方法にて行われる。
【００８２】
ここで、操作部５６におけるレリーズボタンがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００８３】
ところで、本実施の形態に係るデジタルカメラ１０Ａでは、予め定められたタイミング（本実施の形態では、レンズユニット６０が装着されたタイミング）で、レンズユニット関連設定処理が実行される。次に、図３を参照して、本実施の形態に係るレンズユニット関連設定処理について説明する。なお、図３は、レンズユニット関連設定処理の実行時にＣＰＵ４０によって実行されるレンズユニット関連設定処理プログラムの処理の流れを示すフローチャートである。
【００８４】
まず、ステップ１００では、装着されたレンズユニット６０に内蔵されているメモリ６６から前述した光学系情報及び撮像系情報を、メモリインタフェース５８、コネクタ１３Ａ、及びコネクタ６０Ａを介して読み出す。
【００８５】
次のステップ１０２では、上記ステップ１００において読み出した光学系情報に応じた設定を行う。なお、当該設定は、例えば、設定対象とする光学系情報がズーム倍率の上限値を示す情報及びズームモータに対する駆動制御方法を示す情報である場合には、これ以降に行われる光学ズーム倍率の変更時に上記ズーム倍率の上限値及びズームモータの駆動制御方法が適用されるようにする設定を行う。
【００８６】
本ステップ１０２の処理によって、これ以降に行われる光学ユニット６２に関する制御が、当該設定に応じたものに切り替えられる。
【００８７】
次のステップ１０４では、上記ステップ１００において読み出した撮像系情報に応じた設定を行い、その後に本レンズユニット関連設定処理プログラムを終了する。なお、当該設定は、例えば、設定対象とする撮像系情報がＣＣＤ６４の画素数を示す情報、ＣＣＤ６４の駆動パルスの種類を示す情報、及びＣＣＤ６４に対する駆動制御方法を示す情報である場合には、これ以降にタイミングジェネレータ３２を介して行われるＣＣＤ６４の駆動制御が、これらの情報に応じた制御となるようにするための設定を行う。
【００８８】
また、例えば、設定対象とする撮像系情報が欠陥画素位置情報である場合には、これ以降に行う欠陥画素補正処理において適用される欠陥画素位置が当該欠陥画素位置情報により示される位置となるようにする設定を行う。
【００８９】
本ステップ１０４の処理によって、これ以降に行われるＣＣＤ６４に関する制御が、当該設定に応じたものに切り替えられる。
【００９０】
以上詳細に説明したように、本実施の形態では、レンズユニットをカメラ本体ユニットに装着することによってカメラとして機能するものとし、レンズユニットを、レンズ６２ＡとＣＣＤ６４を含むと共にレンズ６２Ａ及びＣＣＤ６４の双方の機差に起因する被写体像の画質の劣化に対処するための機差対処情報を予め記憶しておき、カメラ本体ユニットに装着された状態で当該カメラ本体ユニットに機差対処情報を出力するものとし、カメラ本体ユニットを、レンズユニットが装着された状態で上記機差対処情報を入力すると共に、当該機差対処情報を用いて被写体像の画質の劣化に対処するための制御を行うものとしているので、レンズ６２Ａ及びＣＣＤ６４の双方の機差に起因する撮影画像の画質の劣化に対処することができ、この結果として、組み込んだレンズユニットを最適な状態で適用することができる。
【００９１】
特に、本実施の形態では、上記機差対処情報を、ＣＣＤ６４の欠陥画素補正に関する情報（本実施の形態では、欠陥画素位置情報）としているので、装着されたレンズユニットに含まれているＣＣＤ６４に応じた欠陥画素補正を行うことができる。
【００９２】
なお、本実施の形態では、本発明の機差対処情報として欠陥画素位置情報を適用し、レンズユニットに搭載されているＣＣＤ６４の機差に応じた欠陥画素補正処理を実行する場合について説明したが、本発明はこれに限定されるものではなく、例えば、本発明の機差対処情報としてレンズ６２Ａの収差補正に関する収差情報や、レンズユニット６０全体としてのシェーディング補正に関するシェーディング情報を適用し、これらの情報に応じた補正処理を実行する形態とすることもできる。
【００９３】
本発明の機差対処情報として収差情報を適用する場合は、当該収差情報をメモリ６６に予め記憶しておき、ＣＣＤ６４による撮像時において、当該収差情報を読み出し、ＣＣＤ６４を介して得られたデジタル画像データに対して従来既知の手法を用いて収差補正を施すことになる。また、本発明の機差対処情報としてシェーディング情報を適用する場合には、当該シェーディング情報をメモり６６に予め記憶しておき、ＣＣＤ６４による撮像時において、ＣＣＤ６４を介して得られたデジタル画像データに対して従来既知の手法を用いてシェーディング補正を施すことになる。これらの場合にも、本実施の形態と同様の効果を奏することができる。
【００９４】
また、本実施の形態では、レンズユニット関連設定処理プログラム（図３参照。）を実行するタイミングとして、レンズユニット６０が装着されたタイミングを適用した場合について説明したが、本発明はこれに限定されるものではなく、例えば、所定期間（一例として、０．１秒）毎に連続的に実行する形態とすることもできる。これにより、何らかの理由でレンズユニット６０の装着が検知できなかった場合の当該プログラムの不実行を回避することができる。
【００９５】
〔第２の実施の形態〕
まず、図４を参照して、本形態に係るデジタルカメラ１０Ｂの構成を説明する。同図に示すように、本形態に係るデジタルカメラ１０Ｂは、カメラ本体ユニット１２Ｂと記録メディアユニット７０とを含んで構成されており、記録メディアユニット７０をカメラ本体ユニット１２Ｂに装着することによってカメラとして機能するものである。
【００９６】
記録メディアユニット７０は、予め定められた可搬型のメモリカード７２（本実施の形態では、ｘＤピクチャーカード）が着脱可能に構成された不図示のホルダー部と、当該ホルダー部に装着されたメモリカード７２と、当該記録メディアユニット７０の仕様に関する各種情報（以下、「記録メディア仕様情報」という。）が予め記憶された不揮発性のメモリ７４と、を備えている。
【００９７】
なお、本形態では、メモリ７４としてフラッシュ・メモリを適用しているが、ＥＥＰＲＯＭ等の他の半導体記憶素子や、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体を適用する形態とすることもできる。
【００９８】
また、記録メディアユニット７０の筐体外面の所定位置には、カメラ本体ユニット１２Ｂに装着された状態で、カメラ本体ユニット１２Ｂとの間で各種信号の授受を行うためのコネクタ７０Ａが配設されている。そして、当該コネクタ７０Ａには、上記ホルダー部及びメモリ７４が接続されている。従って、カメラ本体ユニット１２Ｂは、記録メディアユニット７０が装着された状態で、上記ホルダー部に装着されたメモリカード７２、及びメモリ７４へのアクセスを行うことができる。
【００９９】
一方、カメラ本体ユニット１２Ｂは、被写体像を結像させるためのレンズ２２Ａを含んで構成された光学ユニット２２と、レンズ２２Ａの光軸後方に配設されたＣＣＤ２４と、入力されたアナログ信号に対して各種のアナログ信号処理を行うアナログ信号処理部２６と、入力されたアナログ信号をデジタルデータに変換するＡＤＣ２８と、入力されたデジタルデータに対して各種のデジタル信号処理を行うデジタル信号処理部３０と、を備えている。なお、デジタル信号処理部３０は、所定容量のラインバッファを内蔵し、入力されたデジタルデータを後述するメモリ４８の所定領域に直接記憶させる制御も行う。
【０１００】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。
【０１０１】
従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【０１０２】
一方、カメラ本体ユニット１２Ｂは、撮影された被写体像やメニュー画面等を表示するためのＬＣＤ３８と、当該ＬＣＤ３８に表示させるための信号を生成してＬＣＤ３８に供給するＬＣＤインタフェース３６と、デジタルカメラ１０Ｂ全体の動作を司るＣＰＵ４０と、撮影により得られたデジタル画像データ等を記憶するメモリ４８と、メモリ４８に対するアクセスの制御を行うメモリインタフェース４６と、を備えている。なお、本形態に係るデジタルカメラ１０Ｂでは、メモリ４８としてＶＲＡＭが用いられている。
【０１０３】
更に、カメラ本体ユニット１２Ｂは、記録メディアユニット７０のホルダー部に装着されたメモリカード７２、及び記録メディアユニット７０に内蔵されたメモリ７４をデジタルカメラ１０Ｂでアクセス可能とするための外部メモリインタフェース５０Ａを備えている。
【０１０４】
また、カメラ本体ユニット１２Ｂの筐体外面には、記録メディアユニット７０が装着された状態で当該記録メディアユニット７０に設けられたコネクタ７０Ａと電気的かつ機械的に接続される位置に、記録メディアユニット７０との間で各種信号の授受を行うためのコネクタ１３Ｂが配設されている。
【０１０５】
そして、記録メディアユニット７０が装着された状態で当該記録メディアユニット７０のホルダー部に装着されたメモリカード７２とメモリ７４の入出力端子がコネクタ７０Ａ及びコネクタ１３Ｂを介して外部メモリインタフェース５０Ａの入出力端子に電気的に接続される。
【０１０６】
更に、カメラ本体ユニット１２Ｂは、デジタル画像データに対する圧縮処理及び伸張処理を行う圧縮・伸張処理回路５４を備えている。
【０１０７】
デジタル信号処理部３０、ＬＣＤインタフェース３６、ＣＰＵ４０、メモリインタフェース４６、外部メモリインタフェース５０Ａ、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８へのメモリインタフェース４６を介したアクセス、記録メディアユニット７０におけるメモリカード７２及びメモリ７４への外部メモリインタフェース５０Ａ、コネクタ１３Ｂ及びコネクタ７０Ａを介したアクセスを各々行うことができる。
【０１０８】
一方、カメラ本体ユニット１２Ｂには、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【０１０９】
更に、カメラ本体ユニット１２Ｂにはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【０１１０】
すなわち、本実施の形態に係るレンズ２２Ａは複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【０１１１】
ＣＰＵ４０は、光学ズーム倍率を変更する際にはズームモータを駆動制御してレンズ２２Ａの焦点距離を変化させる。
【０１１２】
また、ＣＰＵ４０は、ＣＣＤ２４による撮像によって得られた画像のコントラストが最大となるように上記焦点調整モータを駆動制御することによって合焦制御を行う。
【０１１３】
更に、ＣＰＵ４０は、ＣＣＤ２４による撮像によって得られた画像の明るさに基づいて、露出状態を最適とする絞り値となるように上記絞り駆動モータを駆動制御することによって露出制御を行う。
【０１１４】
一方、カメラ本体ユニット１２Ｂには、電源スイッチ、撮影を実行する際に押圧操作されるレリーズボタン、撮影された被写体像のズーム倍率を変更する際に操作されるズームスイッチ等の各種ボタン類、スイッチ類（同図では、「操作部５６」と総称。）が備えられており、当該操作部５６はＣＰＵ４０に接続されている。従って、ＣＰＵ４０は、これらの操作部５６に対する操作状態を常時把握できる。
【０１１５】
なお、本形態に係るデジタルカメラ１０Ｂのレリーズボタンは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【０１１６】
そして、デジタルカメラ１０Ｂでは、レリーズボタンを半押し状態にすることによりＡＥ機能が働いて露出状態（シャッター速度、絞りの状態）が設定された後、ＡＦ機能が働いて合焦制御され、その後、引き続き全押し状態にすると露光（撮影）が行われる。
【０１１７】
一方、カメラ本体ユニット１２Ｂには、撮影時に必要に応じて被写体に照射する光を発するストロボ４４が備えられている。また、カメラ本体ユニット１２Ｂには、当該ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【０１１８】
ここで、記録メディアユニット７０に内蔵されたメモリ７４に予め記憶されている記録メディア仕様情報について、図５を参照しつつ説明する。
【０１１９】
同図に示すように、当該記録メディア仕様情報には、対応しているメモリカード７２の種類を示す情報（同図では、「対応メディア種」と表記。）、メモリカード７２に対するアクセス速度範囲を示す情報（同図では、「アクセス速度」と表記。）、及び記録メディアユニット７０の駆動電圧を示す情報（同図では、「駆動電圧」と表記。）が含まれている。
【０１２０】
なお、記録メディアユニット７０は、対象とするメモリカードの種類、メモリカードに対するアクセス速度等の各種仕様の異なる複数の機種が予め用意されており、ユーザは、使用条件、使用目的、好み等に応じた最適なものを選択的に購入して用いることができる。
【０１２１】
次に、本実施の形態に係るデジタルカメラ１０Ｂの撮影時における全体的な動作について簡単に説明する。
【０１２２】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【０１２３】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【０１２４】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【０１２５】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【０１２６】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【０１２７】
また、このとき、操作部５６におけるズームスイッチがユーザによって操作された場合、ＣＰＵ４０は、ズームスイッチの操作期間に応じた量だけ光学ズーム倍率を変更するように不図示のズームモータをモータ駆動部３４によって駆動制御する。これによって、ＬＣＤ３８に表示されているスルー画像は、ズームスイッチに対する操作に応じて拡大又は縮小されることになる。
【０１２８】
ここで、操作部５６におけるレリーズボタンがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０Ａを介してメモリカード７２に記録する。
【０１２９】
なお、本実施の形態に係るデジタルカメラ１０Ｂは、以上のような静止画撮影の他、動画撮影も可能に構成されており、当該動画撮影を行う際には、レリーズボタンが全押し状態とされたタイミングで、その時点からメモリ４８に格納されるＹＣ信号を、所定フレーム記録期間毎に時系列で圧縮・伸張処理回路５４により所定の圧縮形式（本実施の形態では、Ｍｏｔｉｏｎ  ＪＰＥＧ形式）で圧縮した後に外部メモリインタフェース５０Ａを介してメモリカード７２に順次記録していき、再度レリーズボタンが全押し状態とされたタイミングで、当該記録動作を終了する。
【０１３０】
ところで、本実施の形態に係るデジタルカメラ１０Ｂでは、予め定められたタイミング（本実施の形態では、記録メディアユニット７０が装着されたタイミング）で、記録メディア関連設定処理が実行される。次に、図６を参照して、本実施の形態に係る記録メディア関連設定処理について説明する。なお、図６は、記録メディア関連設定処理の実行時にＣＰＵ４０によって実行される記録メディア関連設定処理プログラムの処理の流れを示すフローチャートである。
【０１３１】
まず、ステップ２００では、装着された記録メディアユニット７０に内蔵されているメモリ７４から前述した記録メディア仕様情報を、外部メモリインタフェース５０Ａ、コネクタ１３Ｂ、及びコネクタ７０Ａを介して読み出す。
【０１３２】
次のステップ２０２では、上記ステップ２００において読み出した記録メディア仕様情報により示されるメモリカード７２のアクセス速度の範囲に応じて動画撮影が可能か否かを判断し、動画撮影が可能な場合は動画撮影を可能とするための設定を行う。なお、動画撮影が可能か否かの判断は、上記アクセス速度がＣＣＤ２４によって時系列に得られるデジタル画像データを所定フレーム記録速度でメモリカード７２に記録できる速度か否かを判断することにより行う。また、動画撮影を可能とするための設定は、ユーザによる動画撮影の実行指示を入力可能とすることによって行う。
【０１３３】
次のステップ２０４では、上記ステップ２００において読み出した記録メディア仕様情報により示されるメモリカード７２のアクセス速度の範囲に応じてメモリカード７２に対するアクセス速度を最高速とするための設定を行う。
【０１３４】
本ステップ２０４の処理によって、これ以降に行われるメモリカード７２へのアクセスが記録メディアユニット７０として対応している最高速度で行われることになる。
【０１３５】
次のステップ２０６では、記録メディアユニット７０に供給される駆動用の電圧が上記ステップ２００において読み出した記録メディア仕様情報により示される記録メディアユニット７０の駆動電圧とするための設定を行う。
【０１３６】
次のステップ２０８では、上記ステップ２００において読み出した他の記録メディア仕様情報に応じた設定を行い、その後に本記録メディア関連設定処理プログラムを終了する。なお、上記ステップ２０８において行われる設定としては、例えば、設定対象とする記録メディア仕様情報がメモリカード７２の種類を示す情報である場合には、これ以降のユーザからの指示入力に応じてメモリカード７２の種類をＬＣＤ３８に表示可能とするための設定等を例示することができる。
【０１３７】
以上詳細に説明したように、本実施の形態では、記録メディアユニットをカメラ本体ユニットに装着することによってカメラとして機能するものとし、記録メディアユニットを、当該記録メディアユニットの仕様に関する記録メディア仕様情報を予め記憶しておき、カメラ本体ユニットに装着された状態で当該カメラ本体ユニットに記録メディア仕様情報を出力するものとし、カメラ本体ユニットを、記録メディアユニットが装着された状態で上記記録メディア仕様情報を入力すると共に、当該記録メディア仕様情報に応じて記録メディアユニットに関する制御を行うものとしているので、装着された記録メディアユニットの仕様に応じた制御を行うことができ、この結果として、組み込んだ記録メディアユニットを最適な状態で適用することができる。
【０１３８】
また、本実施の形態では、上記記録メディア仕様情報に、メモリカード７２に対するアクセス速度を示す情報及び記録メディアユニットの駆動電圧を示す情報の双方を含めたので、装着された記録メディアユニットに含まれたメモリカード７２に対して好適なアクセス速度でアクセスすることができると共に、装着された記録メディアユニットに対して適正な駆動電圧を印加することができる。
【０１３９】
なお、本実施の形態では、記録メディア仕様情報に、メモリカード７２に対するアクセス速度を示す情報及び記録メディアユニットの駆動電圧を示す情報の双方を含めた場合について説明したが、本発明はこれに限定されるものではなく、これらの何れか一方の情報のみを含める形態とすることもできることは言うまでもない。この場合も、本実施の形態と同様の効果を、或る程度は得ることができる。
【０１４０】
また、本実施の形態では、記録メディア関連設定処理プログラム（図６参照。）を実行するタイミングとして、記録メディアユニット７０が装着されたタイミングを適用した場合について説明したが、本発明はこれに限定されるものではなく、例えば、所定期間（一例として、０．１秒）毎に連続的に実行する形態とすることもできる。これにより、何らかの理由で記録メディアユニット７０の装着が検知できなかった場合の当該プログラムの不実行を回避することができる。
【０１４１】
〔第３の実施の形態〕
まず、図７を参照して、本形態に係るデジタルカメラ１０Ｃの構成を説明する。同図に示すように、本形態に係るデジタルカメラ１０Ｃは、カメラ本体ユニット１２Ｃとストロボユニット８０とを含んで構成されており、ストロボユニット８０をカメラ本体ユニット１２Ｃに装着することによってストロボ撮影が可能なカメラとして機能するものである。
【０１４２】
ストロボユニット８０は、撮影時に必要に応じて被写体に照射する光を発するストロボ８２と、当該ストロボユニット８０の仕様に関する各種情報（以下、「ストロボ仕様情報」という。）が予め記憶された不揮発性のメモリ８４と、を備えている。
【０１４３】
なお、本形態では、メモリ８４としてフラッシュ・メモリを適用しているが、ＥＥＰＲＯＭ等の他の半導体記憶素子や、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体を適用する形態とすることもできる。
【０１４４】
また、ストロボユニット８０の筐体外面の所定位置には、カメラ本体ユニット１２Ｃに装着された状態で、カメラ本体ユニット１２Ｃとの間で各種信号の授受を行うためのコネクタ８０Ａが配設されている。そして、当該コネクタ８０Ａには、ストロボ８２及びメモリ８４が接続されている。従って、カメラ本体ユニット１２Ｃは、ストロボユニット８０が装着された状態で、ストロボ８２に対する作動の制御、及びメモリ８４へのアクセスを各々行うことができる。
【０１４５】
一方、カメラ本体ユニット１２Ｃは、被写体像を結像させるためのレンズ２２Ａを含んで構成された光学ユニット２２と、レンズ２２Ａの光軸後方に配設されたＣＣＤ２４と、入力されたアナログ信号に対して各種のアナログ信号処理を行うアナログ信号処理部２６と、入力されたアナログ信号をデジタルデータに変換するＡＤＣ２８と、入力されたデジタルデータに対して各種のデジタル信号処理を行うデジタル信号処理部３０と、を備えている。なお、デジタル信号処理部３０は、所定容量のラインバッファを内蔵し、入力されたデジタルデータを後述するメモリ４８の所定領域に直接記憶させる制御も行う。
【０１４６】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。
【０１４７】
従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【０１４８】
一方、カメラ本体ユニット１２Ｃは、撮影された被写体像やメニュー画面等を表示するためのＬＣＤ３８と、当該ＬＣＤ３８に表示させるための信号を生成してＬＣＤ３８に供給するＬＣＤインタフェース３６と、デジタルカメラ１０Ｃ全体の動作を司るＣＰＵ４０と、撮影により得られたデジタル画像データ等を記憶するメモリ４８と、メモリ４８に対するアクセスの制御を行うメモリインタフェース４６と、を備えている。
【０１４９】
更に、カメラ本体ユニット１２Ｃは、可搬型のメモリカード５２をデジタルカメラ１０Ｃでアクセス可能とするための外部メモリインタフェース５０と、デジタル画像データに対する圧縮処理及び伸張処理を行う圧縮・伸張処理回路５４と、を備えている。
【０１５０】
なお、本形態に係るデジタルカメラ１０Ｃでは、メモリ４８としてＶＲＡＭが用いられ、メモリカード５２としてスマートメディアが用いられている。
【０１５１】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【０１５２】
一方、カメラ本体ユニット１２Ｃには、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【０１５３】
更に、カメラ本体ユニット１２Ｃにはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【０１５４】
すなわち、本実施の形態に係るレンズ２２Ａは複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【０１５５】
ＣＰＵ４０は、光学ズーム倍率を変更する際にはズームモータを駆動制御してレンズ２２Ａの焦点距離を変化させる。
【０１５６】
また、ＣＰＵ４０は、ＣＣＤ２４による撮像によって得られた画像のコントラストが最大となるように上記焦点調整モータを駆動制御することによって合焦制御を行う。
【０１５７】
更に、ＣＰＵ４０は、ＣＣＤ２４による撮像によって得られた画像の明るさに基づいて、露出状態を最適とする絞り値となるように上記絞り駆動モータを駆動制御することによって露出制御を行う。
【０１５８】
一方、カメラ本体ユニット１２Ｃには、電源スイッチ、撮影を実行する際に押圧操作されるレリーズボタン、撮影された被写体像のズーム倍率を変更する際に操作されるズームスイッチ等の各種ボタン類、スイッチ類（同図では、「操作部５６」と総称。）が備えられており、当該操作部５６はＣＰＵ４０に接続されている。従って、ＣＰＵ４０は、これらの操作部５６に対する操作状態を常時把握できる。
【０１５９】
なお、本形態に係るデジタルカメラ１０Ｃのレリーズボタンは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【０１６０】
そして、デジタルカメラ１０Ｃでは、レリーズボタンを半押し状態にすることによりＡＥ機能が働いて露出状態（シャッター速度、絞りの状態）が設定された後、ＡＦ機能が働いて合焦制御され、その後、引き続き全押し状態にすると露光（撮影）が行われる。
【０１６１】
一方、カメラ本体ユニット１２Ｃには、ＣＰＵ４０の制御により、装着されたストロボユニット８０に内蔵されているストロボ８２を発光させるための電力を充電する充電部４２と、当該ストロボユニット８０に内蔵されたメモリ８４に対するアクセスの制御を行うメモリインタフェース５８と、が備えられている。
【０１６２】
また、カメラ本体ユニット１２Ｃの筐体外面には、ストロボユニット８０が装着された状態で当該ストロボユニット８０に設けられたコネクタ８０Ａと電気的かつ機械的に接続される位置に、ストロボユニット８０との間で各種信号の授受を行うためのコネクタ１３Ｃが配設されている。
【０１６３】
そして、ストロボユニット８０が装着された状態で当該ストロボユニット８０に内蔵されたストロボ８２の発光用の電力供給端子が充電部４２の電力出力端子に、ストロボ８２の発光制御端子がＣＰＵ４０に、メモリ８４の入出力端子がメモリインタフェース５８の入出力端子に、各々電気的に接続される。
【０１６４】
従って、ストロボユニット８０がカメラ本体ユニット１２Ｃに装着された状態で、ＣＰＵ４０は、ストロボ８２の発光の制御及びメモリ８４へのメモリインタフェース５８を介したアクセスを各々行うことができる。
【０１６５】
ここで、ストロボユニット８０に内蔵されたメモリ８４に予め記憶されているストロボ仕様情報について、図８を参照しつつ説明する。
【０１６６】
同図に示すように、当該ストロボ仕様情報には、ストロボ８２の発光用の電源が内蔵されているか否かを示す情報（同図では、「内蔵電源」と表記。）、及びストロボ８２の発光光の到達距離を示す情報（同図では、「ストロボ光到達距離」と表記。）が含まれている。なお、ストロボユニット８０は、ストロボ８２の発光用の電源が内蔵されている場合、当該電源によりストロボ８２発光用の電力を充電する充電部も内蔵されている。
【０１６７】
なお、ストロボユニット８０は、内蔵電源の有無、ストロボ光の到達距離等の各種仕様の異なる複数の機種が予め用意されており、ユーザは、使用条件、使用目的、好み等に応じた最適なものを選択的に購入して用いることができる。
【０１６８】
次に、本実施の形態に係るデジタルカメラ１０Ｃの撮影時における全体的な動作について簡単に説明する。
【０１６９】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【０１７０】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【０１７１】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【０１７２】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【０１７３】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【０１７４】
また、このとき、操作部５６におけるズームスイッチがユーザによって操作された場合、ＣＰＵ４０は、ズームスイッチの操作期間に応じた量だけ光学ズーム倍率を変更するように不図示のズームモータをモータ駆動部３４によって駆動制御する。これによって、ＬＣＤ３８に表示されているスルー画像は、ズームスイッチに対する操作に応じて拡大又は縮小されることになる。
【０１７５】
ここで、操作部５６におけるレリーズボタンがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【０１７６】
また、デジタルカメラ１０Ｃでは、レリーズボタンがユーザによって半押し状態とされたときに被写体が所定レベルより暗いか否かを判断し、暗いものと判断された場合には、引き続き全押し状態とされたときに、装着されているストロボユニット８０に内蔵されたストロボ８２を予め設定された発光制御方式にて発光させる。これによって、適正な明るさで撮影を行うことができるようになる。
【０１７７】
ところで、本実施の形態に係るデジタルカメラ１０Ｃでは、予め定められたタイミング（本実施の形態では、ストロボユニット８０が装着されたタイミング）で、ストロボ関連設定処理が実行される。次に、図９を参照して、本実施の形態に係るストロボ関連設定処理について説明する。なお、図９は、ストロボ関連設定処理の実行時にＣＰＵ４０によって実行されるストロボ関連設定処理プログラムの処理の流れを示すフローチャートである。
【０１７８】
まず、ステップ３００では、装着されたストロボユニット８０に内蔵されているメモリ８４から前述したストロボ仕様情報を、メモリインタフェース５８、コネクタ１３Ｃ、及びコネクタ８０Ａを介して読み出す。
【０１７９】
次のステップ３０２では、上記ステップ３００において読み出したストロボ仕様情報に応じて、ストロボユニット８０にストロボ発光用の電源が内蔵されているか否かを判断し、当該判断結果に応じてストロボ発光のための充電先を切り替える設定を行う。なお、当該設定は、ストロボユニット８０に電源が内蔵されている場合はストロボユニット８０内の充電部が充電先となるように切り替え、ストロボユニット８０に電源が内蔵されていない場合には充電部４２が充電先となるように切り替えることにより行う。
【０１８０】
次のステップ３０４では、上記ステップ３００において読み出したストロボ仕様情報により示されるストロボ光の到達距離に応じてストロボ８２の発光制御方式を設定する。
【０１８１】
本実施の形態に係るデジタルカメラ１０Ｃでは、装着されたストロボユニット８０のストロボ８２を発光させる際に、発光開始時からの被写体からの反射光を不図示の測光センサによって測光して測光光量を積分していき、積分された測光光量が所定閾値に達した時点でストロボ８２の発光を停止するオートストロボ機能が搭載されている。
【０１８２】
しかしながら、当該オートストロボ機能による発光制御の精度は、ストロボ光の到達距離が実際の被写体までの距離より短い場合には著しく低下する。
【０１８３】
そこで、上記ステップ３０４では、ストロボ仕様情報により示されるストロボ光の到達距離が実際の被写体までの距離以上である場合にはオートストロボ機能による発光制御方式を適用するように設定し、他の場合にはストロボ８２の発光期間を固定的で、かつ充分に長くした発光制御方式を適用するように設定する。なお、上記被写体までの距離は、デジタルカメラに測距センサが内蔵されている場合には当該センサによって得ることができ、測距センサが内蔵されていない場合には、合焦制御後の焦点調整モータによるレンズ２２Ａの光軸方向位置に基づいて一意的に導出することができる。
【０１８４】
次のステップ３０６では、上記ステップ３００において読み出した他のストロボ仕様情報に応じた設定を行い、その後に本ストロボ関連設定処理プログラムを終了する。
【０１８５】
以上詳細に説明したように、本実施の形態では、ストロボユニットをカメラ本体ユニットに装着することによってストロボ撮影が可能なカメラとして機能するものとし、ストロボユニットを、当該ストロボユニットの仕様に関するストロボ仕様情報を予め記憶しておき、カメラ本体ユニットに装着された状態で当該カメラ本体ユニットにストロボ仕様情報を出力するものとし、カメラ本体ユニットを、ストロボユニットが装着された状態で上記ストロボ仕様情報を入力すると共に、当該ストロボ仕様情報に応じてストロボユニットに関する制御を行うものとしているので、装着されたストロボユニットの仕様に応じた制御を行うことができ、この結果として、組み込んだストロボユニットを最適な状態で適用することができる。
【０１８６】
また、本実施の形態では、上記ストロボ仕様情報に、ストロボ８２を発光させるための電力を供給する電源の有無を示す情報、及びストロボ８２から照射された光の到達距離を示す情報の双方を含めたので、ストロボユニットに電源がある場合に当該電源を利用することができるため、カメラ本体ユニットにおける電源を電池とした場合の電力供給期間を長期間化することができると共に、ストロボ８２の発光制御を当該ストロボ８２による光の到達距離に応じた最適な制御とすることができる。
【０１８７】
なお、本実施の形態では、ストロボ仕様情報に、ストロボ８２を発光させるための電力を供給する電源の有無を示す情報及びストロボ８２から照射された光の到達距離を示す情報の双方を含めた場合について説明したが、本発明はこれに限定されるものではなく、これらの何れか一方の情報のみを含める形態とすることもできることは言うまでもない。この場合も、本実施の形態と同様の効果を、或る程度は得ることができる。
【０１８８】
また、本実施の形態では、ストロボ関連設定処理プログラム（図９参照。）を実行するタイミングとして、ストロボユニット８０が装着されたタイミングを適用した場合について説明したが、本発明はこれに限定されるものではなく、例えば、所定期間（一例として、０．１秒）毎に連続的に実行する形態とすることもできる。これにより、何らかの理由でストロボユニット８０の装着が検知できなかった場合の当該プログラムの不実行を回避することができる。
【０１８９】
また、上記各実施の形態に係るデジタルカメラ１０Ａ〜１０Ｃの構成（図１、図４、図７参照。）は一例であり、本発明の主旨を逸脱しない範囲内において適宜変更可能であることは言うまでもない。
【０１９０】
更に、上記各実施の形態において説明した各種設定処理プログラム（図３、図６、図９参照。）の処理の流れも一例であり、本発明の主旨を逸脱しない範囲内において適宜変更可能であることは言うまでもない。
【図面の簡単な説明】
【０１９１】
【図１】第１の実施の形態に係るデジタルカメラ１０Ａの構成を示すブロック図である。
【図２】第１の実施の形態に係るレンズユニット６０に内蔵されたメモリ６６に記憶されている情報を示す模式図である。
【図３】第１の実施の形態に係るレンズユニット関連設定処理プログラムの処理の流れを示すフローチャートである。
【図４】第２の実施の形態に係るデジタルカメラ１０Ｂの構成を示すブロック図である。
【図５】第２の実施の形態に係る記録メディアユニット７０に内蔵されたメモリ７４に記憶されている情報を示す模式図である。
【図６】第２の実施の形態に係る記録メディア関連設定処理プログラムの処理の流れを示すフローチャートである。
【図７】第３の実施の形態に係るデジタルカメラ１０Ｃの構成を示すブロック図である。
【図８】第３の実施の形態に係るストロボユニット８０に内蔵されたメモリ８４に記憶されている情報を示す模式図である。
【図９】第３の実施の形態に係るストロボ関連設定処理プログラムの処理の流れを示すフローチャートである。
【符号の説明】
【０１９２】
１０Ａ〜１０Ｃ    デジタルカメラ
１２Ａ〜１２Ｃ    カメラ本体ユニット
１３Ａ〜１３Ｃ    コネクタ（入力手段）
４０    ＣＰＵ（制御手段）
６０    レンズユニット
６０Ａ    コネクタ（出力手段）
６２    光学ユニット
６２Ａ    レンズ（結像レンズ）
６４    ＣＣＤ（撮像素子）
６６    メモリ（記憶手段）
７０    記録メディアユニット
７０Ａ    コネクタ（出力手段）
７２    メモリカード（記録メディア）
７４    メモリ（記憶手段）
８０    ストロボユニット
８０Ａ    コネクタ（出力手段）
８２    ストロボ（発光部）
８４    メモリ（記憶手段）
【図１】
2005142831.tif 000003
【図２】
2005142831.tif 000004
【図３】
2005142831.tif 000005
【図４】
2005142831.tif 000006
【図５】
2005142831.tif 000007
【図６】
2005142831.tif 000008
【図７】
2005142831.tif 000009
【図８】
2005142831.tif 000010
【図９】
2005142831.tif 000011